(57)【要約】      （修正有）【課題】カメラを逆さにして撮影を行うときの使い勝手を向上する画像処理装置を提供する。【解決手段】画像処理装置は、第１の方向に関係付けられ、方向に関係付けられた機能と、方向に関係付けられていない機能とが割り当てられた第１の操作部と、第２の方向に関係付けられた第２の操作部と、画像の表示方向を反転させるフリップ機能がオンに設定されたとき、方向に関係付けられていない機能の割り当てを第１の操作部から第２の操作部に変更する制御部とを備える。【選択図】図５
2018078463.tif 000002
【特許請求の範囲】
【請求項１】
第１の方向に関係付けられ、方向に関係付けられた機能と、方向に関係付けられていない機能とが割り当てられた第１の操作部と、
第２の方向に関係付けられた第２の操作部と、
画像の表示方向を反転させるフリップ機能がオンに設定されたとき、前記方向に関係付けられていない機能の割り当てを前記第１の操作部から前記第２の操作部に変更する制御部と
を備える画像処理装置。
【請求項２】
前記第２の操作部には、方向に関係付けられていない他の機能が割り当てられており、
前記制御部は、前記フリップ機能がオンに設定されたとき、前記第１の操作部と前記第２の操作部との間で、前記方向に関係付けられていない機能および前記方向に関係付けられていない他の機能の割り当てを入れ替える
請求項１に記載の画像処理装置。
【請求項３】
前記制御部は、前記フリップ機能がオンに設定されたとき、前記方向に関係付けられた機能の割り当てを前記第１の操作部から前記第２の操作部に変更する
請求項１に記載の画像処理装置。
【請求項４】
前記第１の操作部には前記第１の方向に関係付けられた機能が割り当てられており、前記第２の操作部には前記第２の方向に関係付けられた機能が割り当てられており、
前記制御部は、前記フリップ機能がオンに設定されたとき、前記第１の操作部と前記第２の操作部との間で、前記第１の方向に関係付けられた機能および前記第２の方向に関係付けられた機能の割り当てを入れ替える
請求項３に記載の画像処理装置。
【請求項５】
前記方向に関係付けられた機能は、表示画面を基準とした前記方向への操作を行う機能である
請求項１に記載の画像処理装置。
【請求項６】
前記方向に関係付けられた機能は、前記方向にカーソルを移動させる機能、または前記表示画面における前記方向側の領域を表示させるスクロール操作の機能である
請求項５に記載の画像処理装置。
【請求項７】
前記第１の方向は前記第２の方向とは反対の方向である
請求項１に記載の画像処理装置。
【請求項８】
方向に関係付けられておらず、割り当て機能が変化しない第３の操作部をさらに備える
請求項１に記載の画像処理装置。
【請求項９】
前記第１の操作部の近傍には、前記第１の操作部に対して、前記フリップ機能がオフに設定されているときに割り当てられる機能に関する文字または記号が印字されている
請求項１に記載の画像処理装置。
【請求項１０】
前記フリップ機能がオンに設定されている場合、前記文字または記号の近傍に設けられた、前記第１の操作部が操作されたとき、前記文字または記号により示される機能を実現する処理は行われない
請求項９に記載の画像処理装置。
【請求項１１】
前記フリップ機能がオンに設定された場合、撮影により得られた画像の上下方向の反転、収音により得られた収音音声の左右のチャンネルの入れ替え、表示画面の上下方向の反転表示、および互いに異なる方向に関係付けられた操作部間における割り当て機能の入れ替えのうちの少なくとも何れか１つが行われる
請求項１に記載の画像処理装置。
【請求項１２】
第１の方向に関係付けられ、方向に関係付けられた機能と、方向に関係付けられていない機能とが割り当てられた第１の操作部と、
第２の方向に関係付けられた第２の操作部と
を有する画像処理装置の設定方法であって、
画像の表示方向を反転させるフリップ機能がオンに設定されたとき、前記方向に関係付けられていない機能の割り当てを前記第１の操作部から前記第２の操作部に変更する
ステップを含む設定方法。
【請求項１３】
第１の方向に関係付けられ、方向に関係付けられた機能と、方向に関係付けられていない機能とが割り当てられた第１の操作部と、
第２の方向に関係付けられた第２の操作部と
を有する画像処理装置を制御するコンピュータに、
画像の表示方向を反転させるフリップ機能がオンに設定されたとき、前記方向に関係付けられていない機能の割り当てを前記第１の操作部から前記第２の操作部に変更する
ステップを含む処理を実行させるプログラム。
【発明の詳細な説明】
【技術分野】
【０００１】
本技術は画像処理装置および設定方法、並びにプログラムに関し、特に、使い勝手を向上させることができるようにした画像処理装置および設定方法、並びにプログラムに関する。
【背景技術】
【０００２】
例えばカメラに関する技術として、広視野画像を展開して得られた画像から視野の異なる２つの画像を切り出して並べたハーフワイド画像を表示させるときに、一方の視野の画像を左右に反転させて表示させる技術が提案されている（例えば、特許文献１参照）。
【０００３】
このような技術を適用したカメラを自動車に設置して撮影を行い、得られたハーフワイド画像を表示すれば、ハーフワイド画像における２つの異なる視野の領域において風景が同じ方向に流れるようになるので運転補助等の用途で用いることができる。
【０００４】
また、カメラで撮影を行う場合、使用用途によってカメラを手で持って撮影を行ったり、カメラを自動車や天井などに固定して撮影を行ったりすることがあるが、カメラを逆さにして動画像を撮影すると画像の上下や音声の左右のチャンネルが逆になってしまう。
【０００５】
そこで、カメラを逆さにして撮影を行うことを想定して記録用画像を上下に反転させたり、音声の左右のチャンネルを入れ替えたりする機能も提案されている。
【先行技術文献】
【特許文献】
【０００６】
【特許文献１】特開２００８−２８７７８号公報
【発明の概要】
【発明が解決しようとする課題】
【０００７】
しかしながら上述した技術では、カメラを逆さにして撮影を行うときなどにおいて撮影操作等が不便なことがあり、撮影した画像を上下に反転させるだけでは十分に使い勝手がよいとはいえなかった。
【０００８】
本技術は、このような状況に鑑みてなされたものであり、使い勝手を向上させることができるようにするものである。
【課題を解決するための手段】
【０００９】
本技術の一側面の画像処理装置は、第１の方向に関係付けられ、方向に関係付けられた機能と、方向に関係付けられていない機能とが割り当てられた第１の操作部と、第２の方向に関係付けられた第２の操作部と、画像の表示方向を反転させるフリップ機能がオンに設定されたとき、前記方向に関係付けられていない機能の割り当てを前記第１の操作部から前記第２の操作部に変更する制御部とを備える。
【００１０】
前記第２の操作部には、方向に関係付けられていない他の機能が割り当てられているようにし、前記制御部には、前記フリップ機能がオンに設定されたとき、前記第１の操作部と前記第２の操作部との間で、前記方向に関係付けられていない機能および前記方向に関係付けられていない他の機能の割り当てを入れ替えさせることができる。
【００１１】
前記制御部には、前記フリップ機能がオンに設定されたとき、前記方向に関係付けられた機能の割り当てを前記第１の操作部から前記第２の操作部に変更させることができる。
【００１２】
前記第１の操作部には前記第１の方向に関係付けられた機能が割り当てられており、前記第２の操作部には前記第２の方向に関係付けられた機能が割り当てられているようにし、前記制御部には、前記フリップ機能がオンに設定されたとき、前記第１の操作部と前記第２の操作部との間で、前記第１の方向に関係付けられた機能および前記第２の方向に関係付けられた機能の割り当てを入れ替えさせることができる。
【００１３】
前記方向に関係付けられた機能を、表示画面を基準とした前記方向への操作を行う機能とすることができる。
【００１４】
前記方向に関係付けられた機能を、前記方向にカーソルを移動させる機能、または前記表示画面における前記方向側の領域を表示させるスクロール操作の機能とすることができる。
【００１５】
前記第１の方向を前記第２の方向とは反対の方向とすることができる。
【００１６】
画像処理装置には、方向に関係付けられておらず、割り当て機能が変化しない第３の操作部をさらに設けることができる。
【００１７】
前記第１の操作部の近傍には、前記第１の操作部に対して、前記フリップ機能がオフに設定されているときに割り当てられる機能に関する文字または記号が印字されているようにすることができる。
【００１８】
前記フリップ機能がオンに設定されている場合、前記文字または記号の近傍に設けられた、前記第１の操作部が操作されたとき、前記文字または記号により示される機能を実現する処理は行われないようにすることができる。
【００１９】
前記フリップ機能がオンに設定された場合、撮影により得られた画像の上下方向の反転、収音により得られた収音音声の左右のチャンネルの入れ替え、表示画面の上下方向の反転表示、および互いに異なる方向に関係付けられた操作部間における割り当て機能の入れ替えのうちの少なくとも何れか１つが行われるようにすることができる。
【００２０】
本技術の一側面の設定方法またはプログラムは、第１の方向に関係付けられ、方向に関係付けられた機能と、方向に関係付けられていない機能とが割り当てられた第１の操作部と、第２の方向に関係付けられた第２の操作部とを有する画像処理装置の設定方法またはプログラムであって、画像の表示方向を反転させるフリップ機能がオンに設定されたとき、前記方向に関係付けられていない機能の割り当てを前記第１の操作部から前記第２の操作部に変更するステップを含む。
【００２１】
本技術の一側面においては、第１の方向に関係付けられ、方向に関係付けられた機能と、方向に関係付けられていない機能とが割り当てられた第１の操作部と、第２の方向に関係付けられた第２の操作部とを有する画像処理装置において、画像の表示方向を反転させるフリップ機能がオンに設定されたとき、前記方向に関係付けられていない機能の割り当てが前記第１の操作部から前記第２の操作部に変更される。
【発明の効果】
【００２２】
本技術の一側面によれば、使い勝手を向上させることができる。
【００２３】
なお、ここに記載された効果は必ずしも限定されるものではなく、本開示中に記載された何れかの効果であってもよい。
【図面の簡単な説明】
【００２４】
【図１】撮像装置の外観の構成例を示す図である。
【図２】撮像装置の外観の構成例を示す図である。
【図３】撮像装置の外観の構成例を示す図である。
【図４】撮像装置の外観の構成例を示す図である。
【図５】撮像装置の機能的な構成例を示す図である。
【図６】フリップ設定について説明する図である。
【図７】フリップ設定について説明する図である。
【図８】フリップ設定について説明する図である。
【図９】フリップ設定処理を説明するフローチャートである。
【図１０】フリップ設定と動画像の撮影について説明する図である。
【図１１】フリップ設定と動画像の撮影について説明する図である。
【図１２】撮影処理を説明するフローチャートである。
【図１３】フリップ設定と画像出力について説明する図である。
【図１４】フリップ設定と画像出力について説明する図である。
【図１５】出力処理を説明するフローチャートである。
【図１６】フリップ設定と方向キーの挙動について説明する図である。
【図１７】フリップ設定と方向キーの挙動について説明する図である。
【図１８】DISP機能に関する表示の切り替えについて説明する図である。
【図１９】DISP機能に関する表示の切り替えについて説明する図である。
【図２０】DISP機能に関する表示の切り替えについて説明する図である。
【図２１】機能設定画面の表示例を示す図である。
【図２２】WB設定画面の表示例を示す図である。
【図２３】メニュー画面の表示例を示す図である。
【図２４】キー操作処理を説明するフローチャートである。
【図２５】遠隔操作器の外観の構成例を示す図である。
【図２６】コマンド実行処理を説明するフローチャートである。
【図２７】コンピュータの構成例を示す図である。
【発明を実施するための形態】
【００２５】
以下、図面を参照して、本技術を適用した実施の形態について説明する。
【００２６】
〈第１の実施の形態〉
〈撮像装置の外観構成例〉
まず、図１乃至図４を参照して、本技術を適用した画像処理装置の一例である撮像装置の外観の構成例について説明する。
【００２７】
図１は、撮像装置の外観の正面図を示している。
【００２８】
撮像装置１１は例えばデジタルカメラなどからなり、撮影者であるユーザが手で撮像装置１１を持って撮影を行うことができるだけでなく、撮像装置１１を自転車や天井、壁などに固定して撮影を行うこともできるようになされている。
【００２９】
撮像装置１１の正面には被写体からの光を図示せぬ撮像素子へと導くレンズ２１が設けられている。また、撮像装置１１の正面部分におけるレンズ２１の図中、下側には動画像撮影時に周囲の音を収音するマイクロホンからなる収音部２２−１および収音部２２−２が設けられている。基本的には収音部２２−１により収音された音が右チャンネルの音声とされ、収音部２２−２により収音された音が左チャンネルの音声とされる。
【００３０】
なお、以下、収音部２２−１および収音部２２−２を特に区別する必要のない場合、単に収音部２２とも称する。
【００３１】
撮像装置１１の正面部分の図中、左上にはタリーランプ２３が設けられている。このタリーランプ２３は、撮像装置１１による動画像の撮影中に点灯し、動画像の撮影が行われていない状態では消灯するようになされている。
【００３２】
また、通常、撮像装置１１により動画像や静止画像を撮影するときには、矢印Ａ１１に示す上面が鉛直方向上側に向けられた状態で、つまり矢印Ａ１２に示す底面が地面に向けられた状態で撮影が行われる。
【００３３】
そのため、撮像装置１１の上面には、例えば図２に示すように電源ボタン４１やシャッタボタン４２、音声出力部４３などが設けられている。なお、図２は、撮像装置１１を図１中、上側から下方向に見た上面図を示している。
【００３４】
電源ボタン４１は、撮像装置１１の電源をオンまたはオフさせるときに操作されるボタンであり、シャッタボタン４２は、静止画像を撮影するときや、動画像の撮影を開始するとき、動画像の撮影を停止するときなどに操作される。また、シャッタボタン４２は、図示せぬ表示部にメニュー画面等が表示されている状態では、選択を決定させるためのエンターキー（決定ボタン）として機能する。
【００３５】
音声出力部４３は、例えばスピーカなどからなり、動画像の再生時に動画像の音声を再生する。
【００３６】
また、撮像装置１１における図１に示した正面とは反対側の面、すなわち撮像装置１１の裏面には、例えば図３に示すように各種のボタン等が設けられている。なお、図３では、撮像装置１１の図３中、上側が上面側となっており、撮像装置１１の図３中、下側が底面側となっている。
【００３７】
撮像装置１１の裏面には、例えばLCD（Liquid Crystal Display）などからなり、各種の画像を表示する表示部６１が設けられている。
【００３８】
また、表示部６１の周囲にはタリーランプ６２、上ボタン６３、下ボタン６４、左ボタン６５、右ボタン６６、およびメニューボタン６７が設けられている。
【００３９】
タリーランプ６２は、撮像装置１１の正面に設けられたタリーランプ２３と同様に、動画像の撮影中に点灯し、動画像の撮影が行われていない状態では消灯する。
【００４０】
上ボタン６３は、表示部６１に表示されている画像やメニュー画面等に対する上方向への操作を行なうときに操作される。
【００４１】
すなわち、上ボタン６３は、例えばメニュー画面においてカーソル等をメニュー画面の上端の方向へと移動させるときや、撮影により得られた画像の上端方向側の領域を表示させるためのスクロール操作を行うときなどに操作される。
【００４２】
以下では、特に画像やメニュー画面等の中心から上端へと向かう方向を画面上方向とも称することとし、同様に画像やメニュー画面等の中心から下端、左端、および右端のそれぞれへと向かう方向を画面下方向、画面左方向、および画面右方向とも称することとする。例えば画面上方向は、画像やメニュー画面等を基準とした、つまりそれらの画像やメニュー画面上における上方向である。
【００４３】
また、以下、画像やメニュー画面等に対して画面上方向、画面下方向、画面左方向、および画面右方向のそれぞれに関係付けられた操作を行う機能を上方向操作機能、下方向操作機能、左方向操作機能、および右方向操作機能とも称することとする。
【００４４】
したがって、上ボタン６３には画像やメニュー画面等の表示画面を基準として上方向に関係付けられた操作、つまりカーソル等の画面上方向への移動や、画面上方向側の領域を表示させるためのスクロール操作などの上方向操作機能が割り当てられている。
【００４５】
その他、上ボタン６３は、撮影時や画像再生時において表示部６１の表示を切り替えるときにも操作される。すなわち、上ボタン６３が操作されると、各種の設定を表すマーク等が必要最低限だけ表示されている状態、各種の設定を表すマーク等がより多く表示されている状態、画像に関するヒストグラムが表示された状態など、上ボタン６３に対する操作に応じて表示部６１の表示が切り替えられていく。
【００４６】
以下では、撮影時や画像再生時に表示部６１の表示を切り替える機能をDISP機能と称することとする。
【００４７】
このように上ボタン６３には、上方向操作機能とDISP機能とが割り当てられている。
【００４８】
撮像装置１１の裏面には上ボタン６３の図中、上側、すなわち矢印Ｗ１１に示す部分にはDISP機能を示す文字「DISP」が印字されており、ユーザ（使用者）はこの印字を見ることで上ボタン６３にDISP機能が割り当てられていることを瞬時に把握することができる。
【００４９】
上ボタン６３の図中、下側、つまり底面側には下ボタン６４が配置されており、下ボタン６４は、画面下方向への操作を行なうときに操作される。すなわち、下ボタン６４には下方向操作機能が割り当てられている。
【００５０】
また、下ボタン６４には、下方向操作機能の他に予め定められた複数の機能のうちの任意の１つの機能を選択的に割り当てることが可能となっている。例えば初期設定では、下ボタン６４には再生機能が割り当てられており、下ボタン６４が操作されると最後に撮影された画像の再生が開始される。
【００５１】
右ボタン６６は、表示部６１に表示されている画像やメニュー画面等に対する画面右方向への操作を行なうときに操作される。すなわち、右ボタン６６には右方向操作機能が割り当てられている。
【００５２】
具体的には、例えば右ボタン６６はメニュー画面においてカーソル等を画面右方向へと移動させるときや、撮影により得られた画像の右端方向側の領域を表示させるためのスクロール操作を行うときなどに操作される。
【００５３】
また、右ボタン６６には右方向操作機能の他、機能設定画面を表示させるファンクション機能（以下、Fn機能と称する）も割り当てられている。すなわち、例えば撮影時等に右ボタン６６が操作されると、表示部６１には機能設定画面が表示される。
【００５４】
撮像装置１１の裏面には右ボタン６６の図中、右側、すなわち矢印Ｗ１２に示す部分にはFn機能を示す文字「Fn」が印字されており、ユーザはこの印字を見ることで右ボタン６６にFn機能が割り当てられていることを瞬時に把握することができる。
【００５５】
なお、ここでは文字「DISP」や「Fn」など、ボタン近傍に、そのボタンに対して予め割り当てられた機能を示す文字が印字されている例について説明するが、機能を示す記号などが印字されるようにしてもよい。
【００５６】
右ボタン６６の図中、左側には左ボタン６５が配置されており、左ボタン６５は画面左方向への操作を行なうときに操作される。すなわち、左ボタン６５には、左方向操作機能が割り当てられている。
【００５７】
また、左ボタン６５には左方向操作機能の他に予め定められた複数の機能のうちの任意の１つの機能を選択的に割り当てることが可能となっている。例えば初期設定では、左ボタン６５にはWB（White Balance）設定機能が割り当てられており、撮影時等に左ボタン６５が操作されると、表示部６１にはホワイトバランス調整を行う際の前提となる撮影環境を選択するためのWB設定画面が表示される。
【００５８】
このように上ボタン６３、下ボタン６４、左ボタン６５、および右ボタン６６は、それぞれ上下左右という方向に関係付けられており、それらの各ボタン（キー）には関係付けられた方向への操作を行う機能と、方向とは無関係の機能とが割り当てられている。つまり、方向に関係付けられた操作部としての各ボタンには、それらの方向に関係付けられた機能と、方向に関係付けられていない機能とが予め割り当てられている。
【００５９】
以下では上ボタン６３、下ボタン６４、左ボタン６５、および右ボタン６６を特に区別する必要のない場合には、それらのボタンを方向キーとも称することとする。図３に示す例では、各方向キーにはそれらの方向キーに関係付けられた方向の矢印が印字されている。また、各方向キーには少なくとも１以上の機能が割り当てられていればよい。つまり、方向キーには１または複数の機能が割り当てられていればよい。
【００６０】
左ボタン６５の図中、左側にはメニューボタン６７が配置されており、メニューボタン６７は表示部６１にメニュー画面を表示させるときに操作される。すなわち、メニューボタン６７には、メニュー画面を表示させるメニュー表示機能が割り当てられている。
【００６１】
さらに撮像装置１１の裏面における表示部６１の図中、左側にはカバー６８が取り付けられており、ロックボタン６９を操作することでカバー６８を撮像装置１１から取り外すことができるようになされている。
【００６２】
撮像装置１１本体におけるカバー６８下側には、矢印Ｑ１１に示すように各種の端子やスロットが設けられている。ここで、矢印Ｑ１１に示す図は撮像装置１１本体の裏面左側部分のカバー６８が取り外された状態を示している。
【００６３】
この例では、撮像装置１１本体におけるカバー６８下には、外部との接続のための入出力端子としてHDMI（登録商標）（High-Definition Multimedia Interface）の端子７０およびUSB（登録商標）（Universal Serial Bus）の端子７１が設けられている。
【００６４】
また、撮像装置１１本体のカバー６８下には、マイクロホンを取り付けるための端子７２や、撮像装置１１に着脱可能なリムーバブル記録媒体の挿入口であるスロット７３、およびリムーバブル記録媒体に対するアクセス等を通知するためのメディアアクセスランプ７４が設けられている。
【００６５】
さらに撮像装置１１の底面には、例えば図４に示すように撮像装置１１を三脚等に固定するための固定部であるソケット９１が設けられている。このソケット９１を利用して撮像装置１１を天井や壁などに固定すれば、撮像装置１１を逆さにした状態や９０度回転させた状態で撮影等を行うことができる。
【００６６】
〈撮像装置の機能的構成例〉
次に、撮像装置１１の機能的な構成例について説明する。
【００６７】
図５は、撮像装置１１の機能的な構成例を示す図である。なお、図５において図１乃至図４における場合と対応する部分には同一の符号を付してあり、その説明は適宜省略する。
【００６８】
図５に示す例では、遠隔操作器１２１により撮像装置１１の遠隔操作が可能となっており、撮像装置１１にはディスプレイ付きのレコーダや、ディスプレイなどの外部機器１２２が接続されている。以下では、外部機器１２２がディスプレイ付きのレコーダであるものとして説明を続ける。また、外部機器１２２専用の外部機器用遠隔操作器１２３によって、外部機器１２２および撮像装置１１を遠隔操作することが可能となっている。
【００６９】
撮像装置１１は、撮像部１３１、収音部２２、操作部１３２、制御部１３３、リムーバブル記録媒体１３４、音声出力部４３、表示部６１、通信部１３５、および入出力端子１３６を有している。
【００７０】
撮像部１３１は、図１に示したレンズ２１や撮像素子などからなり、制御部１３３の制御に従って被写体からの光を受光して光電変換することにより画像を撮像し、得られた画像の画像データを制御部１３３に供給する。なお、以下では撮像部１３１で得られた画像を特に撮影画像とも称することとする。
【００７１】
収音部２２は、制御部１３３の制御に従って周囲の音声を収音し、その結果得られた収音音声の音声データを制御部１３３に供給する。
【００７２】
操作部１３２は、例えば図２に示した電源ボタン４１やシャッタボタン４２、図３に示した上ボタン６３乃至メニューボタン６７、表示部６１に重畳して設けられたタッチパネルなどからなり、ユーザの操作に応じた信号を制御部１３３に供給する。
【００７３】
制御部１３３は、撮像装置１１全体の動作を制御する。制御部１３３は設定部１５１、OSD（On Screen Display）画像生成部１５２、表示制御部１５３、および記録制御部１５４を有している。
【００７４】
設定部１５１は操作部１３２からの信号に応じて各種の設定を行う。OSD画像生成部１５２はOSD画像を生成する。
【００７５】
OSD画像は、例えば撮影モードを示すマークや、バッテリの残量を示す画像、ホワイトバランス設定を示すマークなどの各種の設定や撮像装置１１に関する状態等を示すマークや画像を表示する画像である。
【００７６】
表示制御部１５３は、表示部６１や外部機器１２２における各種の画像の表示を制御する。記録制御部１５４は撮影により得られた画像データや、収音により得られた音声データのリムーバブル記録媒体１３４や外部機器１２２への記録を制御する。
【００７７】
リムーバブル記録媒体１３４は、撮像装置１１に着脱可能な記録媒体であり、図３に示したスロット７３に挿入されると撮像装置１１に装着された状態となる。リムーバブル記録媒体１３４は、制御部１３３から供給された画像データや音声データを記録するとともに、必要に応じて記録している画像データや音声データを制御部１３３に供給する。
【００７８】
通信部１３５は、無線または有線の通信により遠隔操作器１２１から送信されてきたコマンドを受信して制御部１３３に供給する。
【００７９】
例えば遠隔操作器１２１は、赤外線等による無線通信や端子７１等を介した有線の通信によりコマンドを送信する、撮像装置１１専用または汎用のリモートコマンダであるが、その他、スマートフォンなどにより実現されるようにしてもよい。
【００８０】
入出力端子１３６は、例えば図３に示した端子７０や端子７１などからなり、外部機器１２２との間で通信を行うための入出力部である。
【００８１】
例えば入出力端子１３６は、制御部１３３から供給された画像データや音声データを外部機器１２２に出力したり、外部機器１２２から供給されたコマンド等を制御部１３３に出力したりする。
【００８２】
〈フリップ設定について〉
ところで、上述したように撮像装置１１はユーザの手に持たれた状態で使用されることもあるし、天井や壁などに固定された状態で使用されることもある。
【００８３】
例えば撮像装置１１が逆さに固定されている状態で使用される場合には、撮影された画像が上下逆さまの状態で記録され、また収音された音声の左右のチャンネルが入れ替わった状態で記録されてしまうことになる。
【００８４】
そこで、撮像装置１１では、撮像装置１１が逆さまの状態で使用されるときでも画像の上下が反転しないようにするためのフリップ機能が設けられている。フリップ機能とは、撮影された画像や再生される画像、メニュー画面などの画像の表示方向を所定方向、すなわちここでは上下方向に反転させる機能である。また、この実施の形態では、フリップ機能によって、撮像装置１１が逆さまの状態で使用されるときでも音声の左右のチャンネルが入れ替わったりしないようにすることもできるようになされている。
【００８５】
ここで、撮像部１３１で得られた撮影画像に対して、撮影中に表示部６１に表示される画角確認用の画像をスルー画像と称し、リムーバブル記録媒体１３４等に記録するための記録用の画像を記録用画像と称することとする。また、収音部２２での収音により得られた音声を収音音声とも称し、リムーバブル記録媒体１３４等に記録するための記録用の音声を記録用音声とも称することとする。
【００８６】
例えばフリップ設定がオフとされている、つまりフリップ機能がオフに設定されている状態では、撮像装置１１が逆さまでない状態、つまり撮像装置１１の底面が鉛直方向下側（地面側）に向けられて使用されることが想定されている。
【００８７】
そのため、フリップ設定がオフの状態では、撮影画像および収音音声がそのまま記録用画像および記録用音声とされる。
【００８８】
また、詳細は後述するが、フリップ設定がオフの状態ではOSD画像やメニュー画面などの表示画面も撮影装置１１の上面側が画面上方向となるように表示が行われる。
【００８９】
なお、以下では、記録用画像やOSD画像、メニュー画面などの表示部６１に表示される画像（画面）を特に区別する必要のない場合には、単に表示画面とも称することとする。但し、スルー画像は表示画面に含まれない（除外される）ものとする。
【００９０】
また、以下では、表示部６１に表示画面を表示させたときに、表示画面の上端、つまり画面上方向側の端が表示部６１の上面側に位置する表示状態を通常表示状態と称することとする。通常表示状態では、撮像装置１１の上面が自身から見て上側に位置する状態で使用しているユーザには、表示部６１において文字等が真っすぐに表示された状態となる。
【００９１】
これに対して、フリップ設定がオンとされている、つまりフリップ機能がオンの状態では、撮影画像が上下方向に反転されて、つまり撮影画像が１８０度回転されて記録用画像とされ、収音音声の左右のチャンネルが入れ替えられて記録用音声とされる。
【００９２】
また、詳細は後述するが、フリップ設定がオンの状態ではOSD画像やメニュー画面などの表示画面も撮影装置１１の底面側が画面上方向となるように、表示画面が上下方向に反転されて表示される。つまり、表示画面の表示方向が上下に反転される。
【００９３】
なお、以下では表示部６１に表示画面を表示させたときに、表示画面の上端、つまり画面上方向側の端が表示部６１の底面側に位置する表示状態を反転表示状態と称することとする。
【００９４】
反転表示状態では、撮像装置１１の底面が自身から見て上側に位置する状態で使用しているユーザには、表示部６１において文字等が真っすぐに表示された状態となる。換言すれば、反転表示状態では、撮像装置１１の上面が自身から見て上側に位置する状態で使用しているユーザには、表示部６１において文字等が上下逆さまに表示された状態となる。
【００９５】
さらに、フリップ設定がオンの状態では撮像装置１１の方向キーの挙動も変化する。すなわち、互いに異なる方向に関係付けられた２つの方向キー間で、それらの方向キーの割り当て機能の入れ替えが行われる。
【００９６】
このようにフリップ機能がオンに設定されている場合には、記録用画像生成時における撮影画像の上下方向の反転、記録用音声生成時における収音音声の左右のチャンネルの入れ替え、表示画面の上下方向の反転表示、および方向キー間における割り当て機能の入れ替えが行われるが、それらのうちの少なくとも何れか１つが行われるようにしてもよい。例えば、フリップ機能がオンに設定されている場合には、少なくとも記録用画像生成時における撮影画像の上下方向の反転や表示画面の上下方向の反転表示といった画像の表示方向の上下方向への反転が行われるようにすることもできる。この場合、記録用音声生成時における収音音声の左右のチャンネルの入れ替えや、方向キー間における割り当て機能の入れ替えは行われるようにしてもよいし、行われないようにしてもよい。
【００９７】
〈フリップ設定時の操作について〉
それでは以下、フリップ設定について、より詳細に説明する。
【００９８】
まず、フリップ機能をオンまたはオフに設定するときの操作について説明する。
【００９９】
ユーザは、撮像装置１１の裏面に設けられたメニューボタン６７を操作するなどして、表示部６１にメニュー画面を表示させることでフリップ設定をオンまたはオフとする設定操作を行うことができる。
【０１００】
例えばフリップ設定がオフである状態でメニューボタン６７が操作されると、表示制御部１５３は操作部１３２としてのメニューボタン６７から供給された信号に応じて、メニュー画面のデータを表示部６１に供給し、図６に示すメニュー画面を表示させる。
【０１０１】
図６に示す例では、メニュー画面には文字「Flip」が表示されたメニュー項目MA11を含む複数のメニュー項目が並べられて配置（表示）されている。このメニュー項目MA11は、フリップ設定を行うためのメニュー項目であり、メニュー項目MA11に表示された文字「Off」は、現状のフリップ設定がオフとなっていることを表している。そのため、図６に示す例では、メニュー画面の表示状態は通常表示状態となっている。
【０１０２】
また、この例ではメニュー項目MA11がハイライトされており、つまり他のメニュー項目とは異なる表示状態とされており、メニュー項目MA11が選択された状態となっている。
【０１０３】
このような状態で、例えばユーザが撮像装置１１の上面に設けられたシャッタボタン４２等を操作し、メニュー項目MA11の選択の決定を指示したとする。
【０１０４】
すると、表示制御部１５３は、操作部１３２としてのシャッタボタン４２等から供給された信号に応じて、フリップ設定画面のデータを表示部６１に供給し、例えば図７に示すフリップ設定画面を表示させる。
【０１０５】
図７に示す例では、図６に示したメニュー画面上にフリップ設定を行うためのフリップ設定画面FC11が重畳表示されており、フリップ設定がオフである状態となっているため、フリップ設定画面FC11も通常表示状態での表示となっている。
【０１０６】
フリップ設定画面FC11には、フリップ機能をオンに設定するための設定項目CA11-1と、フリップ機能をオフに設定するための設定項目CA11-2とが表示されている。特に、設定項目CA11-1には文字「On」が表示されており、設定項目CA11-2には文字「Off」が表示されている。なお、以下、設定項目CA11-1および設定項目CA11-2を特に区別する必要のない場合、単に設定項目CA11とも称することとする
【０１０７】
フリップ設定画面FC11が表示された状態となると、ユーザは方向キーやシャッタボタン４２等を操作し、設定項目CA11を選択状態としたり、選択状態となっている設定項目CA11の選択を決定したりすることでフリップ設定を行う。
【０１０８】
図７に示す例では、フリップ設定をオフとするための設定項目CA11-2がハイライトされて選択状態となっている。この状態から設定項目CA11-2の選択を決定する操作が行われると、設定部１５１は操作部１３２から供給された信号に基づいてフリップ設定をオフとし、その設定結果を示すフリップ設定情報を記録する。
【０１０９】
なお、より詳細には設定部１５１はフリップ設定情報を記録しており、設定項目CA11-2の選択が決定されると、記録しているフリップ設定情報をフリップ機能がオフである旨の情報とすることで、フリップ設定情報を更新する。
【０１１０】
このようにフリップ設定がオフとされると、その後、表示制御部１５３は、例えば表示部６１の表示を図６に示したメニュー画面に戻したり、メニュー画面が表示される前の状態、例えばスルー画像が表示された状態に戻したりする。
【０１１１】
一方、フリップ設定をオンにするための設定項目CA11-1が選択状態とされて、設定項目CA11-1の選択を決定する操作がユーザにより行われると、設定部１５１は操作部１３２から供給された信号に基づいてフリップ設定をオンとし、その設定結果を示すフリップ設定情報を記録する。すなわち、フリップ設定情報が、フリップ機能がオンである旨の情報に更新される。
【０１１２】
また、表示制御部１５３はフリップ設定がオンとされると、その直後に表示部６１を制御して、例えば図８に示すフリップ設定に関する画面、すなわちフリップ機能の設定に関する画面である説明画面を表示させる。
【０１１３】
この例では、フリップ設定がオンになっているため、説明画面は反転表示状態での表示となっている。すなわち、説明画面の上端が撮像装置１１の底面側となるように、説明画面が上下方向に反転された状態で表示部６１に表示されている。
【０１１４】
この説明画面には、フリップ機能についての説明が表示されている。具体的には、説明画面には、フリップ設定がオンとされたときの操作部１３２の挙動、特に操作部１３２としての方向キーの挙動に関する説明を示す文字「Switches between the up button and down button function.」および文字「Switches between the left button and right button function.」が表示されている。
【０１１５】
すなわち、説明画面には方向キーのうちの上ボタン６３および下ボタン６４という、互いに相反する方向に関係付けられたボタンの挙動（機能）が入れ替わる旨の説明が表示される。同様に、説明画面には方向キーのうちの左ボタン６５および右ボタン６６という、互いに相反する方向に関係付けられたボタンの挙動（機能）が入れ替わる旨の説明も表示される。
【０１１６】
なお、フリップ設定による方向キー等の挙動についての詳細な説明は後述する。また、ここでは説明画面の一例として、方向キーの挙動の説明が表示される場合について説明した。しかし、表示が上下に反転する旨の説明や、遠隔操作器の挙動に関する説明など、フリップ設定がオンとされたときに、表示状態を含む撮像装置１１等の挙動がどのようになるかの説明が表示されれば、説明画面はどのようなものであってもよい。
【０１１７】
以上のように撮像装置１１では、フリップ設定がオンとされた直後に、フリップ設定がオンとなったときの撮像装置１１の挙動に関する説明が表示された説明画面が反転表示状態で表示される。これにより、ユーザに対してフリップ設定がオンとされたことを通知できるだけでなく、その設定後の挙動も直感的かつ容易に把握させることができ、撮像装置１１の使い勝手を向上させることができる。特に説明画面を反転表示状態で表示させることで、ユーザは表示部６１の表示が上下に反転することを容易に把握することができる。
【０１１８】
また、図８に示す説明画面には、ユーザが説明画面の説明内容を確認したときに操作されるボタンBT11も表示されており、ボタンBT11には文字「OK」が表示されている。
【０１１９】
説明画面上にボタンBT11を設けることで、ユーザに対して、フリップ設定がオンとされたことの確認を促すことができる。したがって、この例では、説明画面はユーザに対してフリップ設定の確認、すなわちフリップ機能についての設定の確認を行うための確認画面としても機能している。
【０１２０】
ユーザによりボタンBT11が操作されると、その後、表示部６１の表示は、例えば図６に示したメニュー画面に戻されたり、メニュー画面が表示される前の状態、例えばスルー画像が表示された状態に戻されたりする。
【０１２１】
さらに、ここでは説明画面には、フリップ設定をオンとしたことを確認するためのOKボタンであるボタンBT11が設けられる例について説明したが、ボタンBT11だけではなく、フリップ設定をオンとする操作をキャンセルするためのキャンセルボタンも設けられるようにしてもよい。
【０１２２】
そのような場合、ユーザは操作部１３２としての方向キー等を操作することで、説明画面上のキャンセルボタンを操作して、ユーザにより行われたフリップ設定をオンとする選択操作を無効とする。
【０１２３】
説明画面（確認画面）が表示されている状態でユーザによりキャンセルボタンが操作され、フリップ機能をオンとする設定のキャンセルが指示されると、設定部１５１は操作部１３２からの信号に基づいて、説明画面を表示する直前に行われたフリップ機能の設定をキャンセルする。また、表示制御部１５３は表示部６１を制御して、表示部６１における表示を図７に示したフリップ設定画面FC11に戻す。そして、新たにフリップ設定が行われると、設定部１５１は新たな設定結果を示すフリップ設定情報を記録する。
【０１２４】
このようにフリップ設定の説明画面において、直前にしたフリップ機能をオンとする設定をキャンセルできるようにすれば、さらに使い勝手を向上させることができる。
【０１２５】
次に、以上において説明したフリップ設定が行われるときの撮像装置１１の具体的な動作について説明する。すなわち、以下、図９のフローチャートを参照して、撮像装置１１により行われるフリップ設定処理について説明する。このフリップ設定処理は、表示部６１に図７に示したフリップ設定画面FC11が表示されると開始される。
【０１２６】
ステップＳ１１において、設定部１５１は操作部１３２からの信号に基づいて、フリップ設定をオンとするか否かを判定する。
【０１２７】
例えばユーザにより操作部１３２が操作されて、フリップ設定画面FC11上の設定項目CA11-1の選択が決定された場合、フリップ設定をオンとすると判定される。これに対して、フリップ設定画面FC11上の設定項目CA11-2の選択が決定された場合、フリップ設定をオンとしない、つまりオフとすると判定される。
【０１２８】
ステップＳ１１においてフリップ設定をオンとすると判定された場合、すなわち、フリップ機能をオンとする指示が受け付けられた場合、ステップＳ１２において設定部１５１は、ユーザによる設定項目CA11-1の選択決定の操作に応じて操作部１３２から供給された信号に基づいて、フリップ設定をオンとする。
【０１２９】
具体的には、設定部１５１は記録しているフリップ設定情報を、フリップ設定がオンである旨の情報に更新する。換言すれば、設定部１５１はフリップ設定がオンである旨のフリップ設定情報を生成し、記録する。
【０１３０】
ステップＳ１３において、表示制御部１５３は説明画面のデータを表示部６１に供給するとともに、設定部１５１に記録されている、フリップ設定がオンである旨のフリップ設定情報に基づいて表示部６１を制御し、上下に反転された説明画面を表示部６１に表示させる。これにより、例えば図８に示したように、説明画面が反転表示状態で表示部６１に表示される。
【０１３１】
説明画面が表示されると、フリップ設定処理は終了する。この場合、ユーザによりボタンBT11が操作されると、表示部６１の表示はメニュー画面に戻されたり、スルー画像の表示に戻されたりする。
【０１３２】
これに対して、ステップＳ１１においてフリップ設定をオンとしない、つまりオフとすると判定された場合、ステップＳ１４において、設定部１５１は、ユーザによる設定項目CA11-2の選択決定の操作に応じて操作部１３２から供給された信号に基づいて、フリップ設定をオフとする。
【０１３３】
具体的には、設定部１５１は記録しているフリップ設定情報を、フリップ設定がオフである旨の情報に更新する。換言すれば、設定部１５１はフリップ設定がオフである旨のフリップ設定情報を生成し、記録する。
【０１３４】
フリップ設定がオフとされると、その後、フリップ設定処理は終了する。この場合、表示部６１の表示は、例えばメニュー画面に戻されたり、スルー画像の表示に戻されたりする。すなわち、フリップ設定がオフとされた場合には、表示制御部１５３は、例えば図８に示した説明画面等のフリップ機能の設定に関する画面を表示させない。
【０１３５】
以上のようにして撮像装置１１は、フリップ設定画面に対するユーザの操作に応じてフリップ設定情報を記録するとともに、フリップ設定がオンとされると、その直後に説明画面を反転表示状態で表示させる。このようにすることで、フリップ設定がオンとなったことや、フリップ設定がオンとされるとどのような挙動となるかをユーザに簡単に把握させることができ、撮像装置１１の使い勝手を向上させることができる。
【０１３６】
〈動画像の撮影について〉
次に、フリップ設定がオンであるときとオフであるときの撮影時の動作について説明する。
【０１３７】
例えばフリップ設定がオフとされている状態で動画像の撮影が行われると、撮影画像および収音音声がそのまま記録用画像および記録用音声とされる。また、表示部６１では通常表示状態での表示が行われる。
【０１３８】
したがって、例えば図１０の矢印Ｑ２１に示すように撮像装置１１の底面が地面に向けられた状態（以下、通常使用状態とも称する）で撮影が行われると、表示部６１に表示されたOSD画像やスルー画像はユーザに対して真っすぐに見える状態となる。
【０１３９】
なお、ユーザは、通常使用状態で撮像装置１１を使用しているときには、ユーザから見て撮像装置１１の上側に上面があり、ユーザから見て撮像装置１１の下側に底面がある状態で表示部６１を見ているとする。これは、以下の説明においても同様であるとする。
【０１４０】
また、ユーザは、撮像装置１１を上下逆さにして使用している状態（以下、反転使用状態とも称する）では、ユーザから見て撮像装置１１の上側に底面があり、ユーザから見て撮像装置１１の下側に上面がある状態で表示部６１を見ていることとする。
【０１４１】
さらに、ユーザにOSD画像やスルー画像が真っすぐに見えるとは、ユーザにはOSD画像上の文字が逆さになったり横になったりせずに、通常人が文字を見るときの状態のように真っすぐに見えており、スルー画像の被写体もユーザが実際の被写体を見た通りの状態で見えていることをいう。以下の説明においてユーザに真っすぐに見えるとは、このような状態でユーザに画像等が見えている状態であるとする。
【０１４２】
フリップ設定がオフとされているときに、矢印Ｑ２１に示すように通常使用状態で撮影が行われると、矢印Ｑ２２に示すように記録用画像もユーザが実際に被写体を見ていたのと同様の状態で記録され、記録用音声も左右のチャンネルが正しく記録される。
【０１４３】
また、例えばフリップ設定がオフとされているときに、矢印Ｑ２３に示すように反転使用状態で、つまり撮像装置１１の上下を逆さまにした状態で撮影が行われると、スルー画像ではユーザが実際の被写体を見ているのと同じように被写体が表示されるが、OSD画像がユーザから見て上下逆さまに表示されることになる。
【０１４４】
さらに、フリップ設定がオフとされているときに、矢印Ｑ２３に示すように反転使用状態で撮影が行われると、矢印Ｑ２４に示すように記録用画像はユーザが実際に被写体を見ていたのと上下逆さまの状態で記録され、記録用音声も実際の音と左右のチャンネルが入れ替わった状態で記録される。
【０１４５】
このようにフリップ設定がオフのときには通常使用状態が正しい使用状態となり、反転使用状態は誤った使用状態となる。すなわち、フリップ設定がオフのときには通常使用状態での撮像装置１１の使用が想定されており、反転使用状態での使用は想定されていない。
【０１４６】
一方、フリップ設定がオンとされている状態で動画像の撮影が行われると、撮影画像を上下に反転させたものが記録用画像とされ、収音音声の左右のチャンネルを入れ替えたものが記録用音声とされる。また、表示部６１では反転表示状態での表示が行われる。但し、スルー画像については反転表示は行われず、通常表示状態での表示が行われる。
【０１４７】
したがって、フリップ設定がオンとされているときに、例えば図１１の矢印Ｑ３１に示すように通常使用状態で撮像装置１１により撮影が行われると、スルー画像ではユーザが実際の被写体を見ているのと同じように被写体が表示されるが、OSD画像がユーザから見て上下逆さまに表示されることになる。
【０１４８】
フリップ設定がオンとされているときに、矢印Ｑ３１に示すように通常使用状態で撮影が行われると、矢印Ｑ３２に示すように記録用画像はユーザが実際に被写体を見ていたのと上下逆さまの状態で記録され、記録用音声も実際の音と左右のチャンネルが入れ替わった状態で記録される。
【０１４９】
さらに、例えばフリップ設定がオンとされているときに、矢印Ｑ３３に示すように反転使用状態で撮像装置１１により撮影が行われると、表示部６１に表示されたOSD画像やスルー画像はユーザに対して真っすぐに見える状態となる。
【０１５０】
フリップ設定がオンとされているときに、矢印Ｑ３３に示すように反転使用状態で撮影が行われると、矢印Ｑ３４に示すように記録用画像はユーザが実際に被写体を見ていたのと同様の状態で記録され、記録用音声も左右のチャンネルが正しく記録される。
【０１５１】
このようにフリップ設定がオンのときには反転使用状態が正しい使用状態となり、通常使用状態は誤った使用状態となる。すなわち、フリップ設定がオンのときには反転使用状態での撮像装置１１の使用が想定されており、通常使用状態での使用は想定されていない。
【０１５２】
ここで、以上において説明した動画像を撮影するときの撮像装置１１の動作について説明する。すなわち、以下、図１２のフローチャートを参照して、撮像装置１１による撮影処理について説明する。
【０１５３】
ステップＳ４１において、撮像部１３１は撮影画像の撮影を開始する。すなわち、撮像部１３１は、被写体から入射してきた光を受光して光電変換を行うことで撮影画像の各フレームを撮影し、得られた画像データを順次、制御部１３３に供給する。
【０１５４】
ステップＳ４２において収音部２２は周囲の音声の収音を開始して、得られた収音音声の音声データを順次、制御部１３３へと供給する。
【０１５５】
ステップＳ４３において、制御部１３３はフリップ設定がオンであるか否かを判定する。例えば設定部１５１に記録されているフリップ設定情報が、フリップ設定がオンである旨の情報である場合、フリップ設定がオンであると判定される。
【０１５６】
ステップＳ４３においてフリップ設定がオンであると判定された場合、ステップＳ４４において、表示制御部１５３はスルー画像に上下反転させたOSD画像を重畳表示させる。
【０１５７】
すなわち、表示制御部１５３は、撮像部１３１で得られた撮影画像の画像データをそのままスルー画像の画像データとして表示部６１に供給し、表示部６１にスルー画像を表示させる。
【０１５８】
また、表示制御部１５３は、各種の設定に従ってOSD画像生成部１５２により生成されたOSD画像の画像データに基づいて、OSD画像が上下反転して表示される、つまりOSD画像が反転表示状態で表示される画像データを生成し、最終的なOSD画像の画像データとする。そして表示制御部１５３は、生成したOSD画像の画像データを表示部６１に供給して表示部６１を制御し、スルー画像上に反転表示状態のOSD画像を重畳表示させる。
【０１５９】
これにより、例えば図１１の矢印Ｑ３１や矢印Ｑ３３に示したようなスルー画像とOSD画像が表示部６１に表示される。
【０１６０】
ステップＳ４５において、記録制御部１５４は、撮影画像を上下方向に反転させて記録用画像とする。
【０１６１】
すなわち、記録制御部１５４は、撮像部１３１から供給された撮影画像の画像データに基づいて、反転表示状態で表示される撮影画像、つまり撮影画像が上下に反転されて表示される画像を表示させるための画像データを、記録用画像の画像データとして生成する。
【０１６２】
ステップＳ４６において、記録制御部１５４は、収音音声の左右のチャンネルを入れ替えて記録用音声とする。
【０１６３】
すなわち、記録制御部１５４は、収音部２２から供給された収音音声の音声データに基づいて、その音声データの左右のチャンネルを入れ替えた音声データを生成し、記録用音声の音声データとする。
【０１６４】
以上の処理により、例えば図１１の矢印Ｑ３２や矢印Ｑ３４に示したように動画像が再生される記録用画像の画像データおよび記録用音声の音声データが得られる。
【０１６５】
記録用画像の画像データと、記録用音声の音声データとが得られると、記録制御部１５４は、例えばそれらの画像データおよび音声データをリムーバブル記録媒体１３４に供給して記録させる。また、例えば記録用画像の画像データと、記録用音声の音声データは、制御部１３３によって入出力端子１３６を介して外部機器１２２に供給されてもよい。
【０１６６】
そして、適宜、記録用画像の画像データと記録用音声の音声データが記録されるなどすると、撮影処理は終了する。
【０１６７】
これに対して、ステップＳ４３において、フリップ設定がオンでない、つまりフリップ設定がオフであると判定された場合、処理はステップＳ４７へと進む。
【０１６８】
ステップＳ４７において、表示制御部１５３はスルー画像にOSD画像を重畳表示させる。
【０１６９】
すなわち、表示制御部１５３は、撮像部１３１で得られた撮影画像の画像データをそのままスルー画像の画像データとして表示部６１に供給し、表示部６１にスルー画像を表示させる。
【０１７０】
また、表示制御部１５３は、各種の設定に従ってOSD画像生成部１５２により生成されたOSD画像の画像データをそのまま表示部６１に供給して表示部６１を制御し、スルー画像上に通常表示状態のOSD画像を重畳表示させる。
【０１７１】
これにより、例えば図１０の矢印Ｑ２１や矢印Ｑ２３に示したようなスルー画像とOSD画像が表示部６１に表示される。
【０１７２】
ステップＳ４８において、記録制御部１５４は、撮影画像をそのまま記録用画像とする。すなわち、記録制御部１５４は、撮像部１３１から供給された撮影画像の画像データを、そのまま記録用画像の画像データとする。
【０１７３】
ステップＳ４９において、記録制御部１５４は、収音音声をそのまま記録用音声とする。すなわち、記録制御部１５４は、収音部２２から供給された収音音声の音声データを、そのまま記録用音声の音声データとする。
【０１７４】
以上の処理により、例えば図１０の矢印Ｑ２２や矢印Ｑ２４に示したように動画像が再生される記録用画像の画像データおよび記録用音声の音声データが得られる。
【０１７５】
記録用画像の画像データと、記録用音声の音声データとが得られると、記録制御部１５４は、例えばそれらの画像データおよび音声データをリムーバブル記録媒体１３４に供給して記録させる。また、例えば記録用画像の画像データと、記録用音声の音声データは、制御部１３３によって入出力端子１３６を介して外部機器１２２に供給されてもよい。
【０１７６】
そして、適宜、記録用画像の画像データと記録用音声の音声データが記録されるなどすると、撮影処理は終了する。
【０１７７】
以上のようにして撮像装置１１は、フリップ設定がオンであるかオフであるかに応じて、記録用画像と記録用音声を生成する。特に、フリップ設定がオンであるときに撮影画像を上下に反転させて記録用画像とし、収音音声の左右のチャンネルを入れ替えて記録用音声とすることで、撮像装置１１が反転使用状態で使用されているときでも適切に再生される記録用画像および記録用音声を得ることができる。
【０１７８】
〈外部への画像等の出力について〉
また、撮像装置１１で得られた画像や音声を外部機器１２２に出力する場合には、フリップ設定のオン、オフによらず、OSD画像等の各種の画像が通常表示状態で表示され、かつ音声も正しく再生されるように画像や音声の出力が制御される。これは、例えば外部機器１２２のディスプレイが上下逆さまにして使用されることは殆どないからである。
【０１７９】
そこで、撮像装置１１は、OSD画像やメニュー画面を外部機器１２２に表示させる際には、それらのOSD画像やメニュー画面等のデータをそのまま外部機器１２２に出力して通常表示状態で表示されるようにする。また、撮像装置１１は、記録用画像の画像データや記録用音声の音声データをそのまま外部機器１２２に出力して、正しく動画像が再生されるようにする。
【０１８０】
したがって、例えば図１３の矢印Ｑ４１に示すようにフリップ設定がオフであるときに、通常使用状態で動画像の撮影を行い、得られた記録用画像および記録用音声とOSD画像とを外部機器１２２に出力して表示させるとする。
【０１８１】
この場合、矢印Ｑ４１に示すように撮像装置１１では、OSD画像やスルー画像はユーザに対して真っすぐに見える状態となる。
【０１８２】
また、この場合、矢印Ｑ４２に示すように外部機器１２２を構成するディスプレイである表示部１８１では、OSD画像と記録用画像がユーザに対して真っすぐに見える状態となる。すなわち、記録用画像では、ユーザが実際の被写体を見ているのと同じように被写体が表示されることになる。
【０１８３】
これに対して、例えば矢印Ｑ４３に示すようにフリップ設定がオフであるときに反転使用状態で動画像の撮影を行い、得られた記録用画像および記録用音声とOSD画像とを外部機器１２２に出力して表示させるとする。
【０１８４】
この場合、矢印Ｑ４３に示すように撮像装置１１では、スルー画像上の被写体はユーザが実際の被写体を見ているのと同じように表示されるが、OSD画像がユーザから見て上下逆さまに表示されることになる。
【０１８５】
また、この場合、矢印Ｑ４４に示すように外部機器１２２の表示部１８１では、OSD画像はユーザに対して真っすぐに見えるように表示されているが、記録用画像ではユーザが実際に被写体を見ていたのと上下逆さまの状態で被写体が表示されることになる。
【０１８６】
一方、例えば図１４の矢印Ｑ５１に示すようにフリップ設定がオンであるときに、通常使用状態で動画像の撮影を行い、得られた記録用画像および記録用音声とOSD画像とを外部機器１２２に出力して表示させるとする。
【０１８７】
この場合、矢印Ｑ５１に示すように撮像装置１１では、スルー画像上の被写体はユーザが実際の被写体を見ているのと同じように表示されるが、OSD画像がユーザから見て上下逆さまに表示されることになる。
【０１８８】
また、この場合、矢印Ｑ５２に示すように外部機器１２２の表示部１８１では、OSD画像はユーザに対して真っすぐに見えるように表示されているが、記録用画像ではユーザが実際に被写体を見ていたのと上下逆さまの状態で被写体が表示されることになる。
【０１８９】
これに対して、例えば矢印Ｑ５３に示すようにフリップ設定がオンであるときに反転使用状態で動画像の撮影を行い、得られた記録用画像および記録用音声とOSD画像とを外部機器１２２に出力して表示させるとする。
【０１９０】
この場合、矢印Ｑ５３に示すように撮像装置１１では、OSD画像やスルー画像はユーザに対して真っすぐに見える状態となる。
【０１９１】
また、この場合、矢印Ｑ５４に示すように外部機器１２２の表示部１８１では、OSD画像と記録用画像がユーザに対して真っすぐに見える状態となる。すなわち、記録用画像では、ユーザが実際の被写体を見ているのと同じように被写体が表示されることになる。
【０１９２】
このように記録用画像や記録用音声を外部機器１２２に出力すれば、撮像装置１１において正しい使用状態で撮影が行われたときには、外部機器１２２ではOSD画像や記録用画像が真っすぐに見える状態で表示され、記録用音声も正しく再生可能となる。
【０１９３】
ここで、以上において説明したように撮像装置１１がOSD画像と、記録用画像および記録用音声とを外部機器１２２に出力する処理について説明する。すなわち、以下、図１５のフローチャートを参照して、撮像装置１１による出力処理について説明する。
【０１９４】
この出力処理は、例えば撮像装置１１による動画像の撮影中、すなわち図１２を参照して説明した撮影処理の実行中や、撮影後、リムーバブル記録媒体１３４に記録した動画像、すなわち記録用画像と記録用音声を外部機器１２２で再生するときなどに行われる。
【０１９５】
ステップＳ８１において、制御部１３３は、OSD画像生成部１５２により生成されたOSD画像の画像データを、そのまま入出力端子１３６を介して外部機器１２２に出力する。これにより、外部機器１２２では、OSD画像が真っすぐに見えるように表示される。
【０１９６】
ステップＳ８２において、制御部１３３は、記録用画像の画像データおよび記録用音声の音声データを、そのまま入出力端子１３６を介して外部機器１２２に出力し、出力処理は終了する。
【０１９７】
例えば動画像の撮影中であれば、ステップＳ８２では図１２のステップＳ４５とステップＳ４６の処理、または図１２のステップＳ４８とステップＳ４９の処理で得られた記録用画像の画像データおよび記録用音声の音声データが外部機器１２２に出力される。
【０１９８】
また、例えば動画像の撮影中でなければ、リムーバブル記録媒体１３４から読み出された記録用画像の画像データおよび記録用音声の音声データが外部機器１２２に出力される。
【０１９９】
外部機器１２２に供給された記録用画像の画像データおよび記録用音声の音声データは、外部機器１２２に記録されたり、外部機器１２２で再生処理に用いられたりする。したがって、例えば記録用画像が表示部１８１に表示される場合には、図１３の矢印Ｑ４２や矢印Ｑ４４に示した例、図１４の矢印Ｑ５２や矢印Ｑ５４に示した例のように、フリップ設定と撮像装置１１の使用状態に応じて被写体の向きが変わる。
【０２００】
以上のようにして撮像装置１１は、フリップ設定のオン、オフによらず、OSD画像、記録用画像、および記録用音声をそのまま外部機器１２２に出力する。
【０２０１】
したがって、撮像装置１１において正しい使用状態で撮影が行われたときには、例えば動画像の撮影中に被写体の画像を外部機器１２２の表示部１８１に表示させて画角等を確認する場合などにおいて、外部機器１２２ではOSD画像や記録用画像が真っすぐに見える状態で表示され、記録用音声も正しく再生可能となる。これにより、使い勝手を向上させることができる。
【０２０２】
〈方向キーの操作について〉
また、撮像装置１１では、フリップ設定のオン、オフによって操作部１３２としての方向キーの挙動が異なる。
【０２０３】
すなわち、フリップ設定がオフの状態では、上ボタン６３には上方向操作機能とDISP機能とが割り当てられており、下ボタン６４には下方向操作機能と他の選択された機能とが割り当てられている。なお、以下では下ボタン６４には他の選択された機能として再生機能が割り当てられているものとする。
【０２０４】
これが、フリップ設定がオンの状態とされると、互いに相反する方向に関係付けられた上ボタン６３と下ボタン６４との割り当て機能が入れ替えられる。
【０２０５】
すなわち、フリップ設定がオンの状態では、上ボタン６３には下方向操作機能と再生機能とが割り当てられた状態となり、下ボタン６４には上方向操作機能とDISP機能とが割り当てられた状態となる。
【０２０６】
この場合、例えば図３に示したように上ボタン６３の近傍には文字「DISP」が印字されているが、上ボタン６３が操作されるとDISP機能ではなく、再生機能を実現する処理が実行されることになる。すなわち、フリップ設定がオンとされている場合には、文字「DISP」の近傍に設けられた上ボタン６３が操作されても、制御部１３３は、その文字「DISP」により表されるDISP機能を実現する処理は行わず、DISP機能を実現する処理とは異なる再生機能を実現する処理を行う。
【０２０７】
また、フリップ設定がオフの状態では、左ボタン６５には左方向操作機能と他の選択された機能とが割り当てられており、右ボタン６６には右方向操作機能とFn機能とが割り当てられている。なお、以下では左ボタン６５には他の選択された機能としてWB設定機能が割り当てられているものとする。
【０２０８】
これが、フリップ設定がオンの状態とされると、互いに相反する方向に関係付けられた左ボタン６５と右ボタン６６との割り当て機能が入れ替えられる。
【０２０９】
すなわち、フリップ設定がオンの状態では、左ボタン６５には右方向操作機能とFn機能とが割り当てられた状態となり、右ボタン６６には左方向操作機能とWB設定機能とが割り当てられた状態となる。
【０２１０】
この場合、例えば図３に示したように右ボタン６６の近傍には文字「Fn」が印字されているが、右ボタン６６が操作されるとFn機能ではなく、WB設定機能を実現する処理が実行されることになる。つまり、右ボタン６６が操作されてもFn機能を実現する処理は行われない。
【０２１１】
このように方向に関係付けられた方向キーについては、フリップ設定がオンとされると互いに相反する方向に関係付けられた方向キー間で、つまり所定方向に関係付けられた方向キーと、所定方向とは反対方向に関係付けられた方向キーとの間で、それらの方向キーに割り当てられた機能が入れ替えられる。換言すれば、機能の割り当て先が変更される。
【０２１２】
このとき、例えば上方向操作機能など、方向に関係付けられた機能、つまり方向に関係付けられた操作を実現する機能だけでなく、DISP機能やFn機能、WB設定機能などの方向に関係付けられていない機能についても割り当ての入れ替えが行われる。
【０２１３】
さらに、方向と関係付けられていないボタン（キー）については、フリップ設定がオンであってもオフであっても、そのボタンに対する割り当て機能は同じとされる。
【０２１４】
例えばメニューボタン６７や電源ボタン４１、シャッタボタン４２は方向に関係付けられていないボタン（操作部）であり、これらのボタンに関しては、フリップ設定がオンであるかオフであるかによらず割り当て機能の入れ替えは行われない。すなわち、メニューボタン６７等の方向に関係付けられていない操作部では割り当て機能は変化しない。
【０２１５】
したがって、例えばフリップ設定のオン、オフに関わらず、メニューボタン６７にはメニュー表示機能が割り当てられた状態となっている。
【０２１６】
以上のように、フリップ設定がオンの状態のときに互いに相反する方向の方向キーの割り当て機能を入れ替えることで、ユーザが反転使用状態で撮像装置１１を使用するときに、通常使用状態で使用するときと同じ操作感覚でキー操作を行うことができる。これにより、撮像装置１１の使い勝手を向上させることができる。
【０２１７】
したがってフリップ設定のオン、オフや、撮像装置１１の使用状態によって、例えば図１６および図１７に示すように方向キーを操作したときの撮像装置１１の挙動が変化する。
【０２１８】
なお、図１６および図１７において図３における場合と対応する部分には同一の符号を付してあり、その説明は適宜省略する。また、図１６および図１７において、矢印Ｕ、矢印Ｄ、矢印Ｌ、および矢印Ｒは、それぞれ画面上方向、画面下方向、画面左方向、および画面右方向を示している。
【０２１９】
例えばフリップ設定がオフであるときに、図１６の矢印Ｑ６１に示すようにユーザが通常使用状態で方向キーを操作すると、初期設定での各方向キーへの機能の割り当て通り、かつユーザから見た通りの方向への操作が行われる。ここで、初期設定での各方向キーへの機能の割り当てとは、フリップ設定がオフである状態での機能の割り当てをいう。
【０２２０】
上ボタン６３、下ボタン６４、左ボタン６５、および右ボタン６６のそれぞれが操作されると、図１６中の上方向、下方向、左方向、および右方向への操作が行われる。そして、矢印Ｑ６１に示す例では図中の上方向、下方向、左方向、および右方向は、それぞれ画面上方向、画面下方向、画面左方向、および画面右方向となっている。
【０２２１】
したがって、例えば表示部６１にカーソルが表示されている状態でユーザが上ボタン６３を操作すると、そのカーソルが上ボタン６３に印字された矢印の方向である図中、上方向へと移動する。そして、図中、上方向は表示部６１に表示された画面の上端方向、つまり画面上方向となっている。
【０２２２】
また、例えばフリップ設定がオフであるときに、図１６の矢印Ｑ６２に示すようにユーザが反転使用状態で方向キーを操作すると、初期設定での各方向キーへの機能の割り当て通り、かつユーザから見た通りの方向への操作が行われる。
【０２２３】
すなわち、上ボタン６３、下ボタン６４、左ボタン６５、および右ボタン６６のそれぞれが操作されると図１６中の下方向、上方向、右方向、および左方向への操作が行われる。但し、矢印Ｑ６２に示す例では図中の上方向、下方向、左方向、および右方向は、それぞれ画面下方向、画面上方向、画面右方向、および画面左方向となっている。
【０２２４】
したがって、例えば表示部６１にカーソルが表示されている状態でユーザが上ボタン６３を操作すると、そのカーソルが上ボタン６３に印字された矢印の方向である図中、下方向へと移動する。そして、矢印Ｑ６２に示す例では図中、下方向は表示部６１に表示された画面の上端方向、つまり画面上方向となっている。
【０２２５】
また、フリップ設定がオンであるときには、上ボタン６３と下ボタン６４の割り当て機能、および左ボタン６５と右ボタン６６の割り当て機能が入れ替えられた状態となる。
【０２２６】
そのため、例えばフリップ設定がオンであるときに、図１７の矢印Ｑ７１に示すようにユーザが通常使用状態で方向キーを操作すると、各方向キーへの機能の割り当てはフリップ設定がオフのときとは異なるが、ユーザから見た通りの方向への操作が行われる。
【０２２７】
すなわち、上ボタン６３、下ボタン６４、左ボタン６５、および右ボタン６６のそれぞれが操作されると、図１７中の上方向、下方向、左方向、および右方向への操作が行われる。そして、矢印Ｑ７１に示す例では図中の上方向、下方向、左方向、および右方向は、それぞれ画面下方向、画面上方向、画面右方向、および画面左方向となっている。
【０２２８】
したがって、例えば表示部６１にカーソルが表示されている状態でユーザが上ボタン６３を操作すると、そのカーソルが上ボタン６３に印字された矢印の方向である図中、上方向へと移動する。但し、図中、上方向は表示部６１に表示された画面の下端方向、つまり画面下方向となっている。
【０２２９】
このようにフリップ設定がオンとされると、上方向に関係付けられた上ボタン６３には、表示画面を基準として上方向とは反対方向である下方向、つまり画面下方向に関係付けられた操作の機能が割り当てられ、他の方向キーも同様にして機能の割り当てがなされる。
【０２３０】
また、例えばフリップ設定がオンであるときに、図１７の矢印Ｑ７２に示すようにユーザが反転使用状態で方向キーを操作すると、各方向キーへの機能の割り当てはフリップ設定がオフのときとは異なるが、ユーザから見た通りの方向への操作が行われる。
【０２３１】
すなわち、上ボタン６３、下ボタン６４、左ボタン６５、および右ボタン６６のそれぞれが操作されると図１７中の下方向、上方向、右方向、および左方向への操作が行われる。但し、矢印Ｑ７２に示す例では図中の上方向、下方向、左方向、および右方向は、それぞれ画面上方向、画面下方向、画面左方向、および画面右方向となっている。
【０２３２】
したがって、例えば表示部６１にカーソルが表示されている状態でユーザが上ボタン６３を操作すると、そのカーソルが上ボタン６３に印字された矢印の方向である図中、下方向へと移動する。そして、矢印Ｑ７２に示す例では図中、下方向は表示部６１に表示された画面の下端方向、つまり画面下方向となっている。
【０２３３】
このようにフリップ設定がオンとなっている状態では方向キーに割り当てられる機能が入れ替えられる。
【０２３４】
そのため、ユーザが方向キーを操作したときに行われる操作の方向は、メニュー画面や記録用画像等の画面を基準とすると、その方向キーに関係付けられた方向とは反対方向となる。すなわち、例えば上方向に関係付けられた上ボタン６３を操作すると、表示画面を基準として下方向、つまり画面下方向に関する操作が行われることになる。
【０２３５】
しかし、フリップ設定がオンとされている場合には、表示画面は上下方向に反転されて表示されているため、つまり表示方向が上下に反転しているため、ユーザが方向キーを操作したときに、その方向キーに印字された矢印の方向への操作が行われることになる。つまり、ユーザが見た通りの方向へと操作が行われる。
【０２３６】
したがって、ユーザはフリップ設定がオフのときと同様の操作感覚で操作を行うことができ、撮像装置１１の使い勝手を向上させることができる。
【０２３７】
また、フリップ設定がオンとなっている状態では、方向に関係付けられていない操作の機能についても、方向キー間で割り当て機能の入れ替えが行われる。
【０２３８】
そのため、ユーザはフリップ設定をオンとして反転使用状態で撮像装置１１を使用したときでも、フリップ設定をオフとして通常使用状態で撮像装置１１を使用するときと同じ操作感覚で操作を行うことができ、さらに使い勝手を向上させることができる。
【０２３９】
具体的には、例えば図１６の矢印Ｑ６１に示した例のようにフリップ設定がオフであり、通常使用状態である場合、動画像の撮影中や記録用画像の再生中に、ユーザから見て上方向の矢印が印字された上ボタン６３を操作するとDISP機能が実行される。
【０２４０】
すなわち、DISP機能が割り当てられた上ボタン６３がユーザによって操作されると、撮像装置１１の表示部６１における表示は、図１８乃至図２０のように切り替えられる。
【０２４１】
例えば図１８に示す例では、撮影モードやバッテリ残量などの必要最低限の情報が表示されるOSD画像が表示部６１に表示された状態となっている。
【０２４２】
また、図１９に示す例では、測光モードやホワイトバランス調整の設定など、図１８に示したOSD画像と比較して、より多くの情報が表示されるOSD画像が表示部６１に表示された状態となっている。
【０２４３】
さらに、図２０に示す例では、図１８に示したOSD画像と同様の必要最低限の情報に加えて、さらにスルー画像または記録用画像の輝度のヒストグラムを含むいくつかの情報が表示されるOSD画像が表示部６１に表示された状態となっている。
【０２４４】
ユーザがDISP機能の割り当てられた上ボタン６３を操作するたびに、表示部６１の表示が例えば図１８に示した表示から図１９に示した表示へと切り替えられ、さらに図２０に示した表示へと切り替えられるなど、表示の切り替えが行われる。
【０２４５】
このとき、DISP機能が割り当てられた上ボタン６３近傍には文字「DISP」が印字されているため、ユーザは容易に表示の切り替えを行うことができる。
【０２４６】
これに対して、例えば図１７の矢印Ｑ７２に示した例のようにフリップ設定がオンであり、反転使用状態である場合、動画像の撮影中や記録用画像の再生中に、ユーザから見て上方向の矢印が印字された下ボタン６４を操作するとDISP機能が実行される。
【０２４７】
このようにフリップ設定がオンであるかオフであるかによって、DISP機能が割り当てられる方向キー（ボタン）は異なる。しかし、何れの場合であってもフリップ設定に対して想定された使用状態で撮像装置１１を使用しているユーザからすれば、自身から見て上方向の矢印が印字された方向キーを操作すれば、DISP機能を実行させることができる。すなわち、フリップ設定によらず、同じ操作感覚で操作を行うことができる。
【０２４８】
DISP機能と同様に、再生機能についてもユーザはフリップ設定がオンであるかオフであるかによらず、同じ操作感覚で操作を行うことができる。
【０２４９】
すなわち、例えば図１６の矢印Ｑ６１に示した例のようにフリップ設定がオフであり、通常使用状態である場合、ユーザは自身から見て下方向の矢印が印字された下ボタン６４を操作することで、再生機能の実行を指示することができる。
【０２５０】
これに対して、例えば図１７の矢印Ｑ７２に示した例のようにフリップ設定がオンであり、反転使用状態である場合、ユーザは自身から見て下方向の矢印が印字された上ボタン６３を操作することで、再生機能の実行を指示することができる。
【０２５１】
また、上ボタン６３と下ボタン６４の操作だけでなく、左ボタン６５と右ボタン６６についても、フリップ設定によらずユーザは同様の操作感覚で操作を行うことができる。
【０２５２】
すなわち、例えば図１６の矢印Ｑ６１に示した例のようにフリップ設定がオフであり、通常使用状態であるとき、動画像の撮影中にユーザが右ボタン６６を操作すると、その右ボタン６６に割り当てられたFn機能が実行される。
【０２５３】
具体的には右ボタン６６が操作されると、例えば表示部６１には図２１に示す機能設定画面が表示される。この例では、機能設定画面において撮影モードや露出、ISO感度、測光モード、ホワイトバランス調整などの各種の設定を行うことができる。
【０２５４】
これに対して、例えば図１７の矢印Ｑ７２に示した例のようにフリップ設定がオンであり、反転使用状態であるときには、ユーザは左ボタン６５を操作することで、表示部６１に図２１に示した機能設定画面を表示させることができる。すなわち、Fn機能を実行させることができる。
【０２５５】
このようにフリップ設定がオンであるかオフであるかによらず、ユーザは自身から見て右方向の矢印が印字された方向キー（ボタン）を操作することで、Fn機能の実行を指示することができる。
【０２５６】
さらに、例えば図１６の矢印Ｑ６１に示した例のようにフリップ設定がオフであり、通常使用状態であるとき、動画像の撮影中などにユーザが左ボタン６５を操作すると、その左ボタン６５に割り当てられたWB設定機能が実行される。
【０２５７】
具体的には左ボタン６５が操作されると、例えば表示部６１には図２２に示すWB設定画面が表示される。この例では、WB設定画面において晴天や蛍光灯、自動など、ホワイトバランス調整を行う際の撮影環境を設定することができる。
【０２５８】
これに対して、例えば図１７の矢印Ｑ７２に示した例のようにフリップ設定がオンであり、反転使用状態であるときには、ユーザは右ボタン６６を操作することで、表示部６１に図２２に示したWB設定画面を表示させることができる。すなわち、WB設定機能を実行させることができる。但し、この場合にはフリップ設定がオンであるので、WB設定画面は反転表示状態で表示される。
【０２５９】
このようにフリップ設定がオンであるかオフであるかによらず、ユーザは自身から見て左方向の矢印が印字された方向キー（ボタン）を操作することで、WB設定機能の実行を指示することができる。
【０２６０】
さらに、上述したようにメニューボタン６７等の方向に関係付けられていないボタンについては、フリップ設定をオンとしても割り当て機能の入れ替えは行われない。
【０２６１】
そのため、フリップ設定がオンであってもオフであっても、ユーザによりメニューボタン６７が操作されると、表示部６１には例えば図２３に示すメニュー画面が表示される。
【０２６２】
ユーザは、このようにして表示されたメニュー画面に対して選択や決定等の操作を行うことで、各種の設定を行うことができる。例えば図２３に示す例では、ユーザは記録用画像の品質に関する設定や、記録用画像のサイズに関する設定などを行うことができる。
【０２６３】
ここで、以上において説明したように方向キーが操作されたときに、撮像装置１１がその操作に応じた処理を実行するキー操作処理について説明する。すなわち、以下、図２４のフローチャートを参照して、撮像装置１１によるキー操作処理について説明する。
【０２６４】
このキー操作処理は、例えばユーザにより撮像装置１１の方向キーが操作されたときに開始される。ユーザにより操作部１３２としての方向キーが操作されると、操作部１３２から制御部１３３には、ユーザの操作に応じた信号が供給される。
【０２６５】
ステップＳ１１１において、制御部１３３は、設定部１５１に記録されているフリップ設定情報に基づいて、フリップ設定がオンであるか否かを判定する。
【０２６６】
ステップＳ１１１においてフリップ設定がオンであると判定された場合、処理はステップＳ１１２へと進む。
【０２６７】
ステップＳ１１２において、制御部１３３は、操作部１３２から供給されたユーザの操作に応じた信号と、ステップＳ１１１における判定結果とに基づいて、操作された方向キーの方向とは反対方向の方向キーに対して予め割り当てられた機能を実現する処理を行う。ここで、予め割り当てられた機能とは、初期設定の状態、つまりフリップ設定がオフである状態で割り当てられている機能である。
【０２６８】
換言すれば、制御部１３３はステップＳ１１２において、ステップＳ１１１における判定結果に応じて方向キーの割り当て機能の入れ替えを行う。さらに制御部１３３は、操作部１３２から供給された信号に基づいて、ユーザにより操作された方向キーに対して、割り当て機能の入れ替え後に割り当てられている機能を実現する処理を行う。
【０２６９】
したがって、例えば表示部６１にメニュー画面が表示されている状態で、ユーザにより上ボタン６３が操作されたとする。
【０２７０】
この場合、制御部１３３は、ユーザにより操作された上ボタン６３に関係付けられた上方向とは反対方向である下方向に関係付けられた下ボタン６４を特定し、フリップ設定がオフである状態で下ボタン６４に対して割り当てられている下方向操作機能を実現する処理を行う。すなわち、制御部１３３の表示制御部１５３は表示部６１を制御して、メニュー画面に表示されているカーソルを、画面下方向へと移動させる。
【０２７１】
フリップ設定がオンであるときには、操作された方向キーの方向とは反対方向の方向キーに対して、フリップ設定がオフである状態で割り当てられた機能の処理を行うことで、フリップ設定がオンであるときの割り当てに従った機能の処理を行うことができる。
【０２７２】
このようにして方向キーの操作に応じた処理が行われると、キー操作処理は終了する。
【０２７３】
一方、ステップＳ１１１においてフリップ設定がオンでない、つまりフリップ設定がオフであると判定された場合、処理はステップＳ１１３へと進む。
【０２７４】
ステップＳ１１３において、制御部１３３は、操作部１３２から供給されたユーザの操作に応じた信号と、ステップＳ１１１における判定結果とに基づいて、操作された方向キーに対して予め割り当てられた機能を実現する処理を行い、キー操作処理は終了する。
【０２７５】
この場合、制御部１３３は、操作された方向キーに対してフリップ設定がオフである状態で割り当てられている機能の処理を行う。したがって、例えば表示部６１にメニュー画面が表示されている状態でユーザにより上ボタン６３が操作されたとすると、制御部１３３の表示制御部１５３は、表示部６１を制御して、メニュー画面に表示されているカーソルを画面上方向へと移動させる。
【０２７６】
以上のようにして、撮像装置１１はフリップ設定と、方向キーに対して予め割り当てられた機能とに基づいて方向キーの操作に応じた処理を行う。すなわち、撮像装置１１はフリップ設定に応じて方向キーの機能の入れ替えを行って、方向キーの操作に応じた処理を行う。このようにすることで、フリップ設定によらずユーザに対して同じ操作感覚で操作を行わせることができ、撮像装置１１の使い勝手を向上させることができる。
【０２７７】
なお、以上においては、互いに相反する方向に関係付けられた方向キー同士で割り当てられた機能を入れ替える例について説明した。これは撮像装置１１が反転使用状態で使用されることを想定しているからである。
【０２７８】
しかし、例えば撮像装置１１の光軸を回転軸として、撮像装置１１を時計回りまたは反時計回りに９０度回転させて使用するようなことも考えられ、そのような使用を想定した設定をフリップ設定により行うことができるようにしてもよい。
【０２７９】
そのような場合、例えば撮像装置１１を９０度回転させて使用することを想定するときには、例えば右ボタン６６に予め割り当てられていた機能を上ボタン６３に割り当て、下ボタン６４に予め割り当てられていた機能を右ボタン６６に割り当てるなどしてもよい。つまり、所定方向に関係付けられた方向キーに対して予め割り当てられていた機能が、所定方向と９０度等の所定の角度をなす方向に関係付けられた方向キーに対して割り当てられるようにしてもよい。このように４つの方向キー間で割り当て機能の入れ替えを行うことで、撮像装置１１を９０度回転させて使用する場合にも通常使用状態のときと同様の操作感覚で操作を行わせることができる。
【０２８０】
〈遠隔操作器での操作について〉
ところで、ユーザが外部の機器である遠隔操作器１２１で撮像装置１１を遠隔操作する場合、ユーザは表示部６１に表示されたメニュー画面等を見ながら遠隔操作器１２１を操作する。
【０２８１】
このとき、ユーザによる遠隔操作器１２１への操作に応じたコマンドが、遠隔操作器１２１から撮像装置１１へと送信されるが、撮像装置１１はフリップ設定がオンであるかオフであるかによらず、遠隔操作器１２１から受信したコマンドをそのまま実行する。
【０２８２】
例えば、図２５に示すように遠隔操作器１２１に上ボタン２１１、下ボタン２１２、左ボタン２１３、および右ボタン２１４が設けられているとする。なお、図２５は、遠隔操作器１２１の外観の構成例を示している。
【０２８３】
上ボタン２１１は、上方向操作機能とDISP機能が割り当てられたボタンであり、撮像装置１１の上ボタン６３に対応する。
【０２８４】
また、下ボタン２１２は、下方向操作機能と他の選択された機能が割り当てられたボタンであり、撮像装置１１の下ボタン６４に対応する。ここでは、下ボタン２１２には、他の選択された機能として再生機能が割り当てられているものとする。
【０２８５】
左ボタン２１３は、左方向操作機能と他の選択された機能が割り当てられたボタンであり、撮像装置１１の左ボタン６５に対応する。ここでは、左ボタン２１３には、他の選択された機能としてWB設定機能が割り当てられているものとする。
【０２８６】
右ボタン２１４は、右方向操作機能とFn機能が割り当てられたボタンであり、撮像装置１１の右ボタン６６に対応する。
【０２８７】
これらの上ボタン２１１、下ボタン２１２、左ボタン２１３、および右ボタン２１４は、撮像装置１１の方向キーと同様に、それぞれ上方向、下方向、左方向、および右方向の各方向に関係付けられたボタン（方向キー）である。
【０２８８】
特に遠隔操作器１２１では、ユーザから見て上ボタン２１１、下ボタン２１２、左ボタン２１３、および右ボタン２１４が上下左右に配置されているので、その配置位置から各ボタン（方向キー）がどの方向に関係付けられているかを直感的に知ることができる。
【０２８９】
例えば図１６の矢印Ｑ６１に示したようにフリップ設定がオフであり、撮像装置１１の使用状態が通常使用状態であるときにユーザが遠隔操作器１２１の方向キーを操作したとする。この場合、方向キーへの機能の割り当て通りで、かつユーザから見た通りの方向への操作が行われる。
【０２９０】
すなわち、上ボタン２１１、下ボタン２１２、左ボタン２１３、および右ボタン２１４のそれぞれが操作されると、図１６中の上方向、下方向、左方向、および右方向への操作が行われる。矢印Ｑ６１に示す例では図中の上方向、下方向、左方向、および右方向は、それぞれ画面上方向、画面下方向、画面左方向、および画面右方向となっている。
【０２９１】
また、例えば図１６の矢印Ｑ６２に示したようにフリップ設定がオフであり、撮像装置１１の使用状態が反転使用状態であるときにユーザが遠隔操作器１２１の方向キーを操作すると、方向キーへの機能の割り当て通りであるが、ユーザから見ると逆方向への操作が行われる。
【０２９２】
すなわち、上ボタン２１１、下ボタン２１２、左ボタン２１３、および右ボタン２１４のそれぞれが操作されると図１６中の下方向、上方向、右方向、および左方向への操作が行われる。このように矢印Ｑ６２に示す例では、ユーザによる方向キーの操作に対してユーザから見て逆の方向への操作が行われているように見える。
【０２９３】
しかし、矢印Ｑ６２に示す例では図中の上方向、下方向、左方向、および右方向は、それぞれ画面下方向、画面上方向、画面右方向、および画面左方向となっているので、実際には遠隔操作器１２１に対する操作通りに処理が行われている。
【０２９４】
同様に、例えば図１７の矢印Ｑ７１に示したようにフリップ設定がオンであり、撮像装置１１の使用状態が通常使用状態であるときにユーザが遠隔操作器１２１の方向キーを操作すると、方向キーへの機能の割り当て通りであるが、ユーザから見ると逆方向への操作が行われる。
【０２９５】
すなわち、上ボタン２１１、下ボタン２１２、左ボタン２１３、および右ボタン２１４のそれぞれが操作されると図１７中の下方向、上方向、右方向、および左方向への操作が行われる。
【０２９６】
これに対して、例えば図１７の矢印Ｑ７２に示したようにフリップ設定がオンであり、撮像装置１１の使用状態が反転使用状態であるときにユーザが遠隔操作器１２１の方向キーを操作すると、方向キーへの機能の割り当て通りで、かつユーザから見た通りの方向への操作が行われる。
【０２９７】
すなわち、上ボタン２１１、下ボタン２１２、左ボタン２１３、および右ボタン２１４のそれぞれが操作されると、図１７中の上方向、下方向、左方向、および右方向への操作が行われる。矢印Ｑ７２に示す例では図中の上方向、下方向、左方向、および右方向は、それぞれ画面上方向、画面下方向、画面左方向、および画面右方向となっているので、実際にユーザから見た通りで、かつ遠隔操作器１２１に対する操作通りに処理が行われていることになる。
【０２９８】
なお、ここでは表示画面内の方向に関する操作について説明したが、遠隔操作器１２１の方向キーに割り当てられた他の機能についても、機能の入れ替えが行われることはない。したがって、例えば撮影中や再生中にユーザが上ボタン２１１を操作すると、撮像装置１１においてフリップ設定がオンであるかオフであるかによらず、DISP機能を実現するための処理が行われることになる。
【０２９９】
以上のように遠隔操作器１２１に対する操作については、撮像装置１１本体の方向キーのように方向の反転等の機能の入れ替えを行わないようにすることで、フリップ設定によらず、ユーザに同じ操作感覚で操作を行わせることができる。
【０３００】
すなわち、フリップ設定に対して想定された使用状態で撮像装置１１を使用しているユーザからすればフリップ設定のオン、オフによらず、遠隔操作器１２１の方向キーを操作したときに、撮像装置１１ではその方向キーの方向への操作がなされる。したがって、ユーザに対して違和感なく操作を行わせることができ、使い勝手を向上させることができる。
【０３０１】
例えば撮像装置１１自体については、フリップ設定がオンであるときには反転使用状態での使用が想定されているため、つまり撮像装置１１の上下逆さの状態での使用が想定されているため、互いに相反する方向の方向キー間で割り当て機能を入れ替えた方が使い勝手がよい。
【０３０２】
これに対して遠隔操作器１２１については、フリップ設定がオンであってもオフであってもユーザが遠隔操作器１２１を上下逆さにして使用することはないため、遠隔操作器１２１の方向キーに割り当てられた機能を入れ替えない方が使い勝手がよい。
【０３０３】
しかも、この場合、撮像装置１１においてフリップ設定情報を参照すれば、メニュー画面や記録用画像等の表示について画面内の上下左右の方向を特定することができるので、その特定結果から遠隔操作器１２１のコマンドを正しく実行することができる。
【０３０４】
このように撮像装置１１側においてフリップ設定情報を参照してコマンドを実行することで、遠隔操作器１２１側ではフリップ設定のオン、オフを気にすることなく操作を行うことができる。
【０３０５】
なお、ここでは遠隔操作器１２１の方向キーを操作したときの撮像装置１１の挙動について説明したが、外部機器用遠隔操作器１２３により撮像装置１１を遠隔操作する場合であっても、撮像装置１１の挙動は遠隔操作器１２１を操作する場合と同様である。
【０３０６】
このような場合、例えば外部機器１２２の表示部１８１に、撮像装置１１の表示制御部１５３から入出力端子１３６を介して供給されたメニュー画面や記録用画像が表示される。そして、ユーザはメニュー画面等が表示された表示部１８１を見ながら外部機器用遠隔操作器１２３の方向キー等に対する操作を行う。
【０３０７】
すると、外部機器用遠隔操作器１２３からは、ユーザの操作に応じたコマンドが送信されて、このコマンドが外部機器１２２により受信される。外部機器１２２は、このようにして外部機器用遠隔操作器１２３から受信したコマンドを、入出力端子１３６を介して制御部１３３に供給し、コマンドの供給を受けた制御部１３３はコマンドを実行する。
【０３０８】
このようにしてコマンドが実行されると、表示制御部１５３から入出力端子１３６を介して外部機器１２２の表示部１８１に供給されるメニュー画面等は、コマンドの実行結果が反映されたものとなる。
【０３０９】
ここで、以上において説明したように撮像装置１１が遠隔操作器１２１や外部機器用遠隔操作器１２３から受信したコマンドを実行するコマンド実行処理について説明する。すなわち、以下、図２６のフローチャートを参照して、撮像装置１１によるコマンド実行処理について説明する。なお、コマンド実行処理が行われる場合、撮像装置１１では制御部１３３の表示制御部１５３によって、フリップ設定情報に基づいて表示画面が通常表示状態または反転表示状態で表示されるように制御が行われている状態となっている。
【０３１０】
ステップＳ１４１において、制御部１３３は、外部の機器である遠隔操作器１２１または外部機器用遠隔操作器１２３から出力されたコマンドを取得する。
【０３１１】
例えば制御部１３３は、遠隔操作器１２１により送信され、通信部１３５で受信されたコマンドを通信部１３５から取得する。また、例えば制御部１３３は、外部機器用遠隔操作器１２３から送信されたコマンドを、入出力端子１３６を介して外部機器１２２から取得する。
【０３１２】
ステップＳ１４２において、制御部１３３は、設定部１５１に記録されているフリップ設定情報に基づいて、取得したコマンドにより示される処理を実行し、コマンド実行処理は終了する。すなわち、制御部１３３は、フリップ機能の設定に基づいて、遠隔操作器１２１や外部機器用遠隔操作器１２３から出力されたコマンドを実行する。
【０３１３】
例えば上ボタン２１１等の遠隔操作器１２１を基準とする所定方向に関する操作指示のコマンドが受信された場合には、制御部１３３は、表示画面を基準としてその所定方向に関する操作が行われるように制御する。具体的には、例えばユーザが、遠隔操作器１２１を基準とする上方向に関する操作を指示するための遠隔操作器１２１の上ボタン２１１を操作して、その操作に応じたコマンドが取得され、フリップ設定情報としてフリップ設定がオンである旨の情報が設定部１５１に記録されているとする。
【０３１４】
この場合、制御部１３３の表示制御部１５３は、例えば表示部６１にメニュー画面が反転表示状態で表示されている状態であれば、そのメニュー画面を基準として、メニュー画面上のカーソルを画面上方向に移動させて、カーソルによりメニュー項目を選択させる処理を、コマンドにより示される処理として実行する。このとき表示制御部１５３は、フリップ設定情報を参照することで、撮像装置１１の底面側の方向が画面上方向であることを特定することができるので、コマンドにより指示された正しい方向にカーソルを移動させることができる。
【０３１５】
また、例えばユーザが遠隔操作器１２１の上ボタン２１１を操作して、その操作に応じたコマンドが取得され、フリップ設定情報としてフリップ設定がオフである旨の情報が設定部１５１に記録されているとする。
【０３１６】
この場合、制御部１３３の表示制御部１５３は、例えば表示部６１にメニュー画面が通常表示状態で表示されている状態であれば、そのメニュー画面を基準として、メニュー画面上のカーソルを画面上方向に移動させて、カーソルによりメニュー項目を選択させる処理を、コマンドにより示される処理として実行する。
【０３１７】
メニュー画面が表示されている場合の他、例えば表示部６１に再生中の画像などが表示されている状態で所定方向に関する操作指示のコマンドが受信されたときには、表示画面を基準としてスクロール操作等、その所定方向に関する操作が行われるように制御される。
【０３１８】
さらに、例えばユーザが遠隔操作器１２１の上ボタン２１１を操作して、その操作に応じたコマンドが取得されたとする。この場合、制御部１３３の表示制御部１５３は、例えば動画像の撮影中や記録用画像の再生中であれば、表示部６１を制御してDISP機能を実現するための処理を、コマンドにより示される処理として実行する。具体的には、例えば図１８乃至図２０を参照して説明した表示を切り替える処理がDISP機能を実現するための処理として行われる。
【０３１９】
このように制御部１３３は、例えば上方向操作機能など、所定方向に関係付けられた操作、つまり所定方向に関する操作を指示するコマンドが取得された場合には、フリップ設定情報を参照して表示画面が上下方向に反転されて表示されているかなどを特定する。そして、制御部１３３は、表示画面を基準として、その所定方向に対する操作が行われるように、つまり表示画面を基準として所定方向に関する操作が行われるように、取得したコマンドを実行する。
【０３２０】
これに対し、制御部１３３は、例えばDISP機能など、方向に関係付けられていない操作を指示するコマンドが取得された場合には、フリップ設定がオンであるかオフであるかによらず、方向に関係付けられていない操作が行われるようにコマンドをそのまま実行する。すなわち、方向に関係付けられていない操作が行われるように制御が行われる。
【０３２１】
以上のように撮像装置１１は、遠隔操作器１２１や外部機器用遠隔操作器１２３から出力されたコマンドを取得し、フリップ設定情報に基づいてコマンドを実行する。
【０３２２】
このようにフリップ設定情報に基づいてコマンドを実行することで、遠隔操作器１２１や外部機器用遠隔操作器１２３では、フリップ設定のオン、オフを気にすることなく操作を行うことができ、使い勝手を向上させることができる。
【０３２３】
〈コンピュータの構成例〉
ところで、上述した一連の処理は、ハードウェアにより実行することもできるし、ソフトウェアにより実行することもできる。一連の処理をソフトウェアにより実行する場合には、そのソフトウェアを構成するプログラムが、コンピュータにインストールされる。ここで、コンピュータには、専用のハードウェアに組み込まれているコンピュータや、各種のプログラムをインストールすることで、各種の機能を実行することが可能な、例えば汎用のパーソナルコンピュータなどが含まれる。
【０３２４】
図２７は、上述した一連の処理をプログラムにより実行するコンピュータのハードウェアの構成例を示すブロック図である。
【０３２５】
コンピュータにおいて、CPU（Central Processing Unit）５０１，ROM（Read Only Memory）５０２，RAM（Random Access Memory）５０３は、バス５０４により相互に接続されている。
【０３２６】
バス５０４には、さらに、入出力インターフェース５０５が接続されている。入出力インターフェース５０５には、入力部５０６、出力部５０７、記録部５０８、通信部５０９、及びドライブ５１０が接続されている。
【０３２７】
入力部５０６は、入力スイッチ、ボタン、マイクロホン、撮像素子などよりなる。出力部５０７は、ディスプレイ、スピーカなどよりなる。記録部５０８は、ハードディスクや不揮発性のメモリなどよりなる。通信部５０９は、ネットワークインターフェースなどよりなる。ドライブ５１０は、磁気ディスク、光ディスク、光磁気ディスク、又は半導体メモリなどのリムーバブル記録媒体５１１を駆動する。
【０３２８】
以上のように構成されるコンピュータでは、CPU５０１が、例えば、記録部５０８に記録されているプログラムを、入出力インターフェース５０５及びバス５０４を介して、RAM５０３にロードして実行することにより、上述した一連の処理が行われる。
【０３２９】
コンピュータ（CPU５０１）が実行するプログラムは、例えば、パッケージメディア等としてのリムーバブル記録媒体５１１に記録して提供することができる。また、プログラムは、ローカルエリアネットワーク、インターネット、デジタル衛星放送といった、有線または無線の伝送媒体を介して提供することができる。
【０３３０】
コンピュータでは、プログラムは、リムーバブル記録媒体５１１をドライブ５１０に装着することにより、入出力インターフェース５０５を介して、記録部５０８にインストールすることができる。また、プログラムは、有線または無線の伝送媒体を介して、通信部５０９で受信し、記録部５０８にインストールすることができる。その他、プログラムは、ROM５０２や記録部５０８に、あらかじめインストールしておくことができる。
【０３３１】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０３３２】
また、本技術の実施の形態は、上述した実施の形態に限定されるものではなく、本技術の要旨を逸脱しない範囲において種々の変更が可能である。
【０３３３】
例えば、本技術は、１つの機能をネットワークを介して複数の装置で分担、共同して処理するクラウドコンピューティングの構成をとることができる。
【０３３４】
また、上述のフローチャートで説明した各ステップは、１つの装置で実行する他、複数の装置で分担して実行することができる。
【０３３５】
さらに、１つのステップに複数の処理が含まれる場合には、その１つのステップに含まれる複数の処理は、１つの装置で実行する他、複数の装置で分担して実行することができる。
【０３３６】
さらに、本技術は、以下の構成とすることも可能である。
【０３３７】
（１）
第１の方向に関係付けられ、方向に関係付けられた機能と、方向に関係付けられていない機能とが割り当てられた第１の操作部と、
第２の方向に関係付けられた第２の操作部と、
画像の表示方向を反転させるフリップ機能がオンに設定されたとき、前記方向に関係付けられていない機能の割り当てを前記第１の操作部から前記第２の操作部に変更する制御部と
を備える画像処理装置。
（２）
前記第２の操作部には、方向に関係付けられていない他の機能が割り当てられており、
前記制御部は、前記フリップ機能がオンに設定されたとき、前記第１の操作部と前記第２の操作部との間で、前記方向に関係付けられていない機能および前記方向に関係付けられていない他の機能の割り当てを入れ替える
（１）に記載の画像処理装置。
（３）
前記制御部は、前記フリップ機能がオンに設定されたとき、前記方向に関係付けられた機能の割り当てを前記第１の操作部から前記第２の操作部に変更する
（１）または（２）に記載の画像処理装置。
（４）
前記第１の操作部には前記第１の方向に関係付けられた機能が割り当てられており、前記第２の操作部には前記第２の方向に関係付けられた機能が割り当てられており、
前記制御部は、前記フリップ機能がオンに設定されたとき、前記第１の操作部と前記第２の操作部との間で、前記第１の方向に関係付けられた機能および前記第２の方向に関係付けられた機能の割り当てを入れ替える
（３）に記載の画像処理装置。
（５）
前記方向に関係付けられた機能は、表示画面を基準とした前記方向への操作を行う機能である
（１）乃至（４）の何れか一項に記載の画像処理装置。
（６）
前記方向に関係付けられた機能は、前記方向にカーソルを移動させる機能、または前記表示画面における前記方向側の領域を表示させるスクロール操作の機能である
（５）に記載の画像処理装置。
（７）
前記第１の方向は前記第２の方向とは反対の方向である
（１）乃至（６）の何れか一項に記載の画像処理装置。
（８）
方向に関係付けられておらず、割り当て機能が変化しない第３の操作部をさらに備える
（１）乃至（７）の何れか一項に記載の画像処理装置。
（９）
前記第１の操作部の近傍には、前記第１の操作部に対して、前記フリップ機能がオフに設定されているときに割り当てられる機能に関する文字または記号が印字されている
（１）乃至（８）の何れか一項に記載の画像処理装置。
（１０）
前記フリップ機能がオンに設定されている場合、前記文字または記号の近傍に設けられた、前記第１の操作部が操作されたとき、前記文字または記号により示される機能を実現する処理は行われない
（９）に記載の画像処理装置。
（１１）
前記フリップ機能がオンに設定された場合、撮影により得られた画像の上下方向の反転、収音により得られた収音音声の左右のチャンネルの入れ替え、表示画面の上下方向の反転表示、および互いに異なる方向に関係付けられた操作部間における割り当て機能の入れ替えのうちの少なくとも何れか１つが行われる
（１）乃至（１０）の何れか一項に記載の画像処理装置。
（１２）
第１の方向に関係付けられ、方向に関係付けられた機能と、方向に関係付けられていない機能とが割り当てられた第１の操作部と、
第２の方向に関係付けられた第２の操作部と
を有する画像処理装置の設定方法であって、
画像の表示方向を反転させるフリップ機能がオンに設定されたとき、前記方向に関係付けられていない機能の割り当てを前記第１の操作部から前記第２の操作部に変更する
ステップを含む設定方法。
（１３）
第１の方向に関係付けられ、方向に関係付けられた機能と、方向に関係付けられていない機能とが割り当てられた第１の操作部と、
第２の方向に関係付けられた第２の操作部と
を有する画像処理装置を制御するコンピュータに、
画像の表示方向を反転させるフリップ機能がオンに設定されたとき、前記方向に関係付けられていない機能の割り当てを前記第１の操作部から前記第２の操作部に変更する
ステップを含む処理を実行させるプログラム。
【符号の説明】
【０３３８】
１１  撮像装置，  ２２  収音部，  ６１  表示部，  ６３  上ボタン，  ６４  下ボタン，  ６５  左ボタン，  ６６  右ボタン，  １３１  撮像部，  １３３  制御部，  １３５  通信部，  １３６  入出力端子，  １５１  設定部，  １５２  OSD画像生成部，  １５３  表示制御部，  １５４  記録制御部
【図１】
2018078463.tif 000003
【図２】
2018078463.tif 000004
【図３】
2018078463.tif 000005
【図４】
2018078463.tif 000006
【図５】
2018078463.tif 000007
【図６】
2018078463.tif 000008
【図７】
2018078463.tif 000009
【図８】
2018078463.tif 000010
【図９】
2018078463.tif 000011
【図１０】
2018078463.tif 000012
【図１１】
2018078463.tif 000013
【図１２】
2018078463.tif 000014
【図１３】
2018078463.tif 000015
【図１４】
2018078463.tif 000016
【図１５】
2018078463.tif 000017
【図１６】
2018078463.tif 000018
【図１７】
2018078463.tif 000019
【図１８】
2018078463.tif 000020
【図１９】
2018078463.tif 000021
【図２０】
2018078463.tif 000022
【図２１】
2018078463.tif 000023
【図２２】
2018078463.tif 000024
【図２３】
2018078463.tif 000025
【図２４】
2018078463.tif 000026
【図２５】
2018078463.tif 000027
【図２６】
2018078463.tif 000028
【図２７】
2018078463.tif 000029